(57)【要約】【課題】エアゾール容器から噴射された被噴射剤を大気中に一度に噴射させてしまうのではなく、徐々に放散させること。【解決手段】芳香剤等が収納される容器10と、操作杆11の操作により芳香剤等を外部に噴射する噴射部を有するエアゾール容器において、噴射部に接続して被噴射剤の滞留室25を設ける。この滞留室の外壁の一部を変形部25sから構成し且つその外壁の全部又は一部に多数の小孔を設ける。滞留室内にコイルスプリング26を設ける。操作杆の操作により容器内の芳香剤等が滞留室内に噴射され、滞留室が拡張する。その後小孔から芳香剤等が徐々に外部に放散され、所定時間経過後に滞留室が収縮して放散が終了する。滞留室が拡張したときにヒヨコ人形が現れ、滞留室が縮小したときに前記人形が隠れる。人形が隠れたときが再度操作杆を操作する時期となる。【選択図】図２
2006327597.tif 000002
【特許請求の範囲】
【請求項１】
芳香剤等の被噴射剤が収納される容器と、操作部の作動により被噴射剤を外部に噴射する噴射部を有するエアゾール容器において、
噴射部に接続して被噴射剤の滞留室を設け、かかる滞留室の外壁の全部又は一部を外形形状が変化する変形部から構成し、且つ、かかる滞留室の外壁の全部又は一部は多数の小孔を有し、
更に、変形部の全部又は一部を伸縮自在の伸縮部材から形成し、かかる伸縮部材の収縮力は容器から噴射される被噴射剤の噴射力よりも弱く設定され、
操作部の作動により容器内の被噴射剤が滞留室内に噴射されることにより、滞留室内が膨張して滞留室が拡張し、操作部の作動終了後は、滞留室の外壁に存する小孔から被噴射剤が徐々に外部空間に放散すると共に、前記伸縮部材の収縮力により所定時間経過後に滞留室が収縮することを特徴とする芳香剤等の放散用容器。
【請求項２】
芳香剤等の被噴射剤が収納される容器と、操作部の作動により被噴射剤を外部に噴射する噴射部を有するエアゾール容器において、
噴射部に接続して被噴射剤の滞留室を設け、かかる滞留室の外壁の全部又は一部を外形形状が変化する変形部から構成し、且つ、かかる滞留室の外壁の全部又は一部は多数の小孔を有し、
更に、滞留室内に伸縮自在の伸縮部材を設け、かかる伸縮部材の収縮力は容器から噴射される被噴射剤の噴射力よりも弱く設定され、
操作部の作動により容器内の被噴射剤が伸縮部材及び／又は滞留室内に噴射されることにより、滞留室内が膨張して滞留室が拡張し、操作部の作動終了後は、滞留室の外壁に存する小孔から被噴射剤が徐々に外部空間に放散すると共に、前記伸縮部材の収縮力により所定時間経過後に滞留室が収縮することを特徴とする芳香剤等の放散用容器。
【請求項３】
請求項１又は２において、滞留室が膨張して拡大したときに、滞留室の外観として各種のキャラクター等の立体形状や図柄が出現し、滞留室が収縮したときに、前記立体形状や図柄の全部又は一部が隠れることとなることを特徴とする芳香剤等の放散用容器。
【発明の詳細な説明】
【技術分野】
【０００１】
本発明は、芳香剤等をその内部に収納し、この芳香剤等の被噴射剤を噴射した後、一定時間芳香剤等の放散効果が持続するエアゾール容器からなる放散用容器に関するものである。この容器には、被噴射剤として、芳香剤の他、消臭剤、抗菌剤、防虫剤、殺虫剤など種々のものを収納すると共に、これらの薬液と共に噴射用の噴射剤が収納されている。
【背景技術】
【０００２】
芳香剤等のエアゾール容器は、噴射バルブを容器に備え、この噴射バルブを作動させることにより、容器内の芳香剤を容器外部へ噴射し、周囲に芳香を発散させることができるものである。
しかし、噴射された芳香剤は、直ちに空気中に霧散してしまい、芳香は間もなく消えてしまうものであった。
そこで、芳香を長く維持するために、下記特許文献１に記載の発明が存在する。
この特許文献に記載の発明は、エアゾール容器の噴射部の外周に空隙を形成して覆う冠着体が設けられたものである。冠着体には噴射部を押圧できる押圧部が設けられ、被噴射剤が放出する放出孔が設けられている。そして、エアゾール容器本体の天蓋の上面には被噴射剤を吸着保持し、その後蒸散できる吸着部材が設けられたものである。
この構成により、押圧部を押圧することにより、噴射部が動作して被噴射剤が噴射され、その一部は、前記冠着体の放出孔から外部に放出され、他の一部は前記吸着部材に吸着されて、その後徐々にこれら吸着部材に吸収された芳香剤等が外部空間に放散され、芳香剤等の効果が持続するものである。  
【特許文献１】特開２００１−８８８７７号公報
【発明の開示】
【発明が解決しようとする課題】
【０００３】
本発明は、上記従来例とは全く異なる構成を採用することによって、芳香剤等の薬効を持続させものであって、またこれに加えて視覚的により興趣をそそると共に、その視覚的な変化により薬効が発揮されているか否かを判別できるものを提供することをその課題としている。
【課題を解決するための手段】
【０００４】
上記課題を解決するために、本発明の第１のものは、芳香剤等の被噴射剤が収納される容器と、操作部の作動により被噴射剤を外部に噴射する噴射部を有するエアゾール容器において、噴射部に接続して被噴射剤の滞留室を設け、かかる滞留室の外壁の全部又は一部を外形形状が変化する変形部から構成し、且つ、かかる滞留室の外壁の全部又は一部は多数の小孔を有し、更に、変形部の全部又は一部を伸縮自在の伸縮部材から形成し、かかる伸縮部材の収縮力は容器から噴射される被噴射剤の噴射力よりも弱く設定され、操作部の作動により容器内の被噴射剤が滞留室内に噴射されることにより、滞留室内が膨張して滞留室が拡張し、操作部の作動終了後は、滞留室の外壁に存する小孔から被噴射剤が徐々に外部空間に放散すると共に、前記伸縮部材の収縮力により所定時間経過後に滞留室が収縮することを特徴とする芳香剤等の放散用容器である。
尚、ここでいう「小孔」というのは、噴射されたガスがこれらの小孔を通過して外部空間に放散されうるものであり、極めて微細な小孔を意味し、ミクロン単位のものである（以下同様である）。
これらの小孔は、滞留室の外壁に後から機械的に設けてもよいし、素材自体が予め有しているものであってもよい。
【０００５】
本発明の第２のものは、芳香剤等の被噴射剤が収納される容器と、操作部の作動により被噴射剤を外部に噴射する噴射部を有するエアゾール容器において、噴射部に接続して被噴射剤の滞留室を設け、かかる滞留室の外壁の全部又は一部を外形形状が変化する変形部から構成し、且つ、かかる滞留室の外壁の全部又は一部は多数の小孔を有し、更に、滞留室内に伸縮自在の伸縮部材を設け、かかる伸縮部材の収縮力は容器から噴射される被噴射剤の噴射力よりも弱く設定され、操作部の作動により容器内の被噴射剤が伸縮部材及び／又は滞留室内に噴射されることにより、滞留室内が膨張して滞留室が拡張し、操作部の作動終了後は、滞留室の外壁に存する小孔から被噴射剤が徐々に外部空間に放散すると共に、前記伸縮部材の収縮力により所定時間経過後に滞留室が収縮することを特徴とする芳香剤等の放散用容器である。
【０００６】
本発明の第３のものは、上記第１又は第２の発明において、滞留室が膨張して拡大したときに、滞留室の外観として各種のキャラクター等の立体形状や図柄が出現し、滞留室が収縮したときに、前記立体形状や図柄の全部又は一部が隠れることとなることを特徴とする芳香剤等の放散用容器である。
【発明の効果】
【０００７】
本発明の第１のものにおいては、噴射部に滞留室を接続し、操作部の作動により芳香剤等の被噴射剤が噴射部から滞留室内に噴射されることによって滞留室内が膨張し、即ち滞留室の伸縮自在の伸縮部材が拡張し、滞留室内部に被噴射剤が貯留される。操作部の作動終了後は、滞留室の外壁には多数の小孔が存在しているために、内部の被噴射剤は、外部空間に徐々に放散されることとなる。これによって、芳香剤等の被噴射剤の薬効が操作部の作動終了後においても所定時間持続することとなる。
変形部自体の全部又は一部を伸縮部材として構成し、この伸縮部材の収縮力により、内部に充填された被噴射剤が小孔を介して良好に外部空間に放散される。
また、滞留室の外壁に存する小孔の数や直径により、被噴射剤の薬効の持続時間を長短調整することができる。
滞留室の一部を伸縮自在のものとし、その他の部分を非伸縮部とすることによって、その非伸縮部の外形形状等を種々にデザインすることができ、これによりその拡張した際の滞留室の外形形状等を自由に設計することができる。
【０００８】
本発明の第２のものにおいては、上記と同様の効果を発揮すると共に、伸縮部材を滞留室の内部に別部材として設けたため、滞留室の外形形状等をより自由にデザインすることが出来、且つ、滞留室内から被噴射剤が外部空間に放散される際に、この内部伸縮部材の収縮作用により、内部の被噴射剤の外部空間への放散が促進され、より良好に内部の被噴射剤が外部空間内に放散されることとなる。
【０００９】
本発明の第３のものにおいては、滞留室が膨張して拡張したときに、滞留室の外観が各種のキャラクターを表わしたものとされるために、容器内から被噴射剤が噴射されると徐々に各種のキャラクター等の立体形状や図柄が出現することとなり、かかる容器を美しい又は可愛い置物として使用することも可能となり、興趣の富んだ芳香剤等の放散用容器として使用できるものとなる。
しかも、このキャラクター等の立体形状や図柄が出現したときは、滞留室内に被噴射剤が充満しているときであり、芳香剤等の薬効が発揮されていることを示すバロメーターとなる。使用者は、これらの立体形状や図柄が隠れたときに、この薬効がほぼ終了していることを知り、それ故、これにより操作部の操作を行うべき時を知ることが出来るのである。
【発明を実施するための最良の形態】
【００１０】
以下、図面と共に本発明に関する最良の実施形態について説明する。
図１は、第１の実施形態に係る芳香剤の放散用容器の透視正面説明図であり、その（Ａ）が滞留室が収縮している初期状態を示し、その（Ｂ）が滞留室が拡張した状態を示している。
本実施形態に係る放散用容器は、その内部に芳香剤及び噴射剤が収容された略円筒形状のエアゾール缶１０と、このエアゾール缶１０の上方に配置された滞留室１５と、エアゾール缶１０の上部と滞留室１５の下部を囲繞する略筒形状の枠体１８とからなる。
【００１１】
エアゾール缶１０の上端中央部には噴射バルブが設備され、噴射バルブから延長するように噴射ステム１２が設けられている。これにより操作部としての操作杆１１を操作することによってエアゾール缶１０内部の芳香剤及び噴射剤が噴射ステム１２から噴射される。
この噴射ステム１２に滞留室１５の下方端に設けられた導入部１５ｄが接続する。これにより操作杆１１が下方に押し下げられるように操作されることによって噴射ステム１２から上記導入部１５ｄを通過して被噴射剤が滞留室１５内に噴射される。
【００１２】
滞留室１５は、その全体が一つの袋状のものからなり、一つの閉鎖空間を形成している。また、この滞留室１５は、２つの部分から構成されており、上部の非伸縮部１５ｔと、下方部の変形自在の変形部１５ｓとから構成されている。本実施形態においては、この変形部１５ｓが伸縮部材１５ｓから形成されている。  
この滞留室１５には、図には表現することが出来ないが、その全体に、或は、その一部分に多数の小孔を設けている。これらの小孔は、被噴射ガスが放散しうる程度の極めて微細な小孔であり、ミクロン単位のものである。これらの小孔の大きさは、滞留室が収縮するための設定時間を考慮して、必要に応じて設定することができる。また、その小孔を設ける密度やエリアも適宜必要に応じて設定することができる。
本実施形態においては、これらの小孔は、上部の非伸縮部１５ｔにのみ設けている。勿論、下方部の変形部１５ｓの部分にこれらの小孔を設けるのも自由である。しかし、芳香をより長く持続させるためには、上記実施形態が望ましい。
【００１３】
非伸縮部１５ｔは、略球形形状を有する袋状の柔軟な合成樹脂製であるが、伸縮性は有していない。またその外観はペンギン人形の頭部を模した模様が施されている。
下方部の変形自在の変形部１５ｓが本実施形態においては、蛇腹状に形成された略円筒形状の合成樹脂製のものからなり、図中上下方向に伸縮可能な伸縮部材１５ｓから構成されている。その伸縮部材１５ｓの初期状態は、収縮した状態を維持するものであり、滞留室１５内が大気圧よりも高く加圧された状態で、伸縮部材１５ｓが上下方向に伸張し、内部の圧力が大気圧と同等又はそれ以下となった状態で初期状態の収縮状態に復帰するものである。
【００１４】
枠体１８は、略筒形状の硬質合成樹脂製のものからなり、その下方部にくびれ部１８ｋが形成されている。このくびれ部１８ｋの部分に操作杆１１が位置し、このくびれ部１８ｋの存在により、操作杆１１を下方に押し下げる際に都合の良い形状となっている。
枠体１８の下端部１８ｕは、エアゾール缶１０の上方の蓋部１０ｆの下端縁部と嵌合することによって、枠体１８がエアゾール缶１０の上方部に固定される。
枠体１８の上下方向の長さ（高さ）は、図１（Ａ）から判るとおり、滞留室１５が下方に収縮した状態で（伸縮部材１５ｓが収縮した状態で）、非伸縮部１５ｔの頂部が少し外に出た状態に設定している。勿論この高さは自由に設定することができる。
【００１５】
以上の構成により、本実施形態に係る放散用容器の使用法は、手により操作杆１１を下方に押し下げて操作することにより、エアゾール缶１０内に収容された芳香剤が噴射剤と共に噴射ステム１２から導入部１５ｄを通過して滞留室１５内部に噴射され、滞留室１５の内部空間の圧力が上昇して膨張することとなる。
滞留室１５がほぼ十分に膨張して拡張した状態で、操作杆１１から手を離して、噴射動作を停止する。
その後、滞留室１５内の内部気圧は、大気圧よりも高い状態となっているために、滞留室１５内の被噴射剤は、滞留室１５の上方部の非伸縮部１５ｔに設けられている多数の小孔を通過して外部空間に排出され、芳香剤が放散されることとなる。これにより芳香剤の薬効がエアゾール缶１０からの被噴射剤の噴射動作終了後一定時間経過後であっても持続することとなる。
本実施形態においては、その持続時間は、上に述べた通り、小孔の直径又は密度或いは設ける面積により数時間乃至数日の範囲で設定することができるものである。
【００１６】
そして、滞留室１５内の被噴射剤が外部空間に排出されると共に、滞留室１５の伸縮部材１５ｓが収縮してその全体の体積が縮小して初期状態に戻り、枠体１８の内部に滞留室１５が隠れた状態となり、芳香の薬効が終了する。尚、実際には、滞留室が初期状態に復帰した時点ですぐに薬効が完全に終了するという訳ではなく、その後暫くは滞留室内に残留した芳香剤によりその薬効は暫く残るのである。
このように、滞留室１５の上方の非伸縮部１５ｔが枠体１８の外部に現れているときには、芳香剤の薬効が発揮されている状態となり、その非伸縮部１５ｔが枠体１８に隠れた状態の時にはその薬効がほぼ終了した状態となる。即ち、ペンギン人形の頭部が枠体１８から顔を出している状態が芳香効果が発揮され、それが隠れた状態ではその薬効がほぼ終了した状態となるのであり、使用者は、ペンギン人形の頭部の位置により、操作杆１１の操作を行う時期を知ることが出来ることとなるのである。
【００１７】
図２は、本発明の第２の実施形態に係る芳香剤の放散用容器の透視正面説明図であり、その（Ａ）が滞留室が収縮している初期状態を示し、その（Ｂ）が滞留室が拡張した状態を示している。
この第２の実施形態において、エアゾール缶１０、噴射バルブ、噴射ステム１２及び操作杆１１の構成は、上記第１の実施形態と同一である。また、この実施形態における枠体１８の下方部の構成、即ち、くびれ部１８ｋとその下端部１８ｕの構成は、上記第１の実施形態と同様であるが、この枠体１８は、その上方部分で滞留室の下方部と一体的に形成され、また、その上下方向の長さ（高さ）は上記第１の実施形態よりも短く形成されている。
【００１８】
そして、本実施形態においては、その滞留室の構成が、その下方部の導入部の構成を除き、上記第１の実施形態と相違している。
滞留室２５の下方端には、導入部１５ｄが設けられ、この導入部１５ｄがエアゾール缶１０の上端中央部に設けられている噴射ステム１２に接続する。これにより操作杆１１が下方に押し下げられるように操作されることによって噴射ステム１２から上記導入部１５ｄを通過して被噴射剤が滞留室１５内に噴射される。この点は上記第１の実施形態と同一である。上記第１の実施形態と異なるのは以下の構成である。
【００１９】
この滞留室２５は、その全体が一つの袋状のものからなり、一つの閉鎖空間を形成している。また、この滞留室２５は、２つの部分から構成されており、伸縮しない上下の非伸縮部２５ｔ、２５ｒと中間の変形自在の変形部２５ｓとから構成されている。
伸縮しない上下の非伸縮部２５ｔ、２５ｒは、滞留室２５が収縮した初期状態では、１個の鶏の卵形状を呈する外観を有し、中間の変形部２５ｓが膨張して伸張した状態で、上下の非伸縮部２５ｔ、２５ｒが上下に分離して、その間にヒヨコ人形が現れる外観を呈するように意匠が施されている。
上下の非伸縮部２５ｔ、２５ｒは、共に伸縮性を有さない柔軟な合成樹脂製のものからなり、中間の変形部２５ｓは、変形自在の合成樹脂製の柔軟な薄地のシート状体から成る。変形部２５ｓが変形した初期状態においては、中間の変形部２５ｓは、上下の非伸縮部２５ｔ、２５ｒとの背後に隠れた状態となる。
【００２０】
更に、本実施形態においては、滞留室２５の内部中央の上下方向にコイルスプリング２６が設備されている。このコイルスプリング２６が本実施形態において伸縮部材となる。
このコイルスプリング２６の下端部２６ｒは、導入部１５ｄに連結され、その上端部２６ｔは、滞留室２５の上部非伸縮部２５ｔの頂部内面に接続されている。このコイルスプリング２６の収縮力は、エアゾール缶１０から噴射される被噴射剤の圧力よりも小さいものである。
従って、図２（Ａ）の初期状態においては、伸縮部材としてのコイルスプリング２６は、収縮した状態となり、滞留室２５内に被噴射剤が噴射され、内圧が上昇した状態で図２（Ｂ）に示した状態のように中間の変形部２５ｓが伸張して、滞留室２５は拡張した状態となるのである。
そして、この実施形態においては、滞留室２５の下部が枠体１８と一体的に形成されている。
【００２１】
以上の構成により、第２実施形態に係る放散用容器においても、その使用法は、上記第１の実施形態と同一であるが、その機能は、相違している。
即ち、手により操作杆１１を下方に押し下げて操作することにより、エアゾール缶１０内に収容された芳香剤が噴射剤と共に噴射ステム１２から導入部１５ｄを通過して滞留室２５内部に噴射され、滞留室２５の内部空間の圧力が上昇し、コイルスプリング２６の収縮力に抗して膨張することとなる。
【００２２】
滞留室２５がほぼ十分に膨張して拡張した状態で、操作杆１１から手を離して、噴射動作を停止する。
その後、滞留室２５内の内部気圧は、大気圧よりも高い状態となっているために、滞留室２５内の被噴射剤は、滞留室２５の上方部の非伸縮部２５ｔに設けられている多数の小孔を通過して外部空間に排出され、芳香剤が放散されることとなる。ここにおいて、コイルスプリング２６の収縮力も手伝って良好に芳香剤は外部空間に放散される。これにより芳香剤の薬効がエアゾール缶１０からの被噴射剤の噴射動作終了後一定時間経過後であっても持続することとなる。
【００２３】
そして、滞留室２５内の被噴射剤が外部空間に排出された後に、滞留室２５内部のコイルスプリング２６が完全に収縮してその全体の体積が縮小して初期状態に戻り、中間の変形部２５ｓは、上下の非伸縮部２５ｔ、２５ｒの内部に隠れた状態となり、芳香の薬効がほぼ終了する。
このように、滞留室２５の中間の変形部２５ｓが外部に現れているときには、芳香剤の薬効が発揮されている状態となり、その変形部２５ｓが非伸縮部２５ｔ、２５ｒに隠れた状態の時にはその薬効がほぼ終了した状態となる。即ち、ヒヨコ人形が卵の殻から顔を出している状態が芳香効果が発揮され、それが隠れた状態ではその薬効がほぼ終了した状態となるのである。従って、使用者は、ヒヨコ人形が隠れた状態を見て、操作杆１１の操作を行う時期を知ることが出来ることとなるのである。
【００２４】
図３は、本発明の第３の実施形態に係る芳香剤の放散用容器の透視正面説明図であり、その（Ａ）が滞留室が収縮している初期状態を示し、その（Ｂ）が滞留室が拡張した状態を示している。
この第３の実施形態においても、エアゾール缶１０、噴射バルブ、噴射ステム１２及び操作杆１１の構成は、上記第１及び第２の実施形態と同一である。また、この実施形態における枠体１８の下方部の構成、即ち、くびれ部１８ｋとその下端部１８ｕの構成も、上記第２の実施形態と同様である。
【００２５】
そして、本実施形態においては、その滞留室の構成が、その下方部の導入部の構成を除き、上記第１及び第２の実施形態と相違している。
即ち、滞留室３５の下方端には、導入部１５ｄが設けられ、この導入部１５ｄがエアゾール缶１０の上端中央部に設けられている噴射ステム１２に接続する。これにより操作杆１１が下方に押し下げられるように操作されることによって噴射ステム１２から上記導入部１５ｄを通過して被噴射剤が滞留室３５内に噴射されるのであるが、直接滞留室３５内に噴射されるのではなく、滞留室３５内部の中央上下方向に配備された伸縮部材３６の内部を通過して後、滞留室３５内に充填されるのである。つまり、上記第２の実施形態においてコイルスプリング２６の代わりに、伸縮部材３６として細長い蛇腹形状の合成樹脂製の蛇腹部材を使用するものである。
【００２６】
この伸縮部材３６としての蛇腹部材は、図中上下方向に伸縮し、内部に圧力がかけられていない状態、即ち図３（Ａ）に示された状態で収縮した初期状態を維持し、その内部に圧力が負荷された状態で、それ自身の収縮力に抗して伸張するものである。
この伸縮部材３６の下端部３６ｒは、導入部１５ｄに接続され、その上端部３６ｔは、滞留室３５の頂部内面に接続している。また、伸縮部材３６の上端部３６ｔには、被噴射剤の流出孔３６ｈが形成され、伸縮部材３６の内部に噴射された被噴射剤は、その内部から流出孔３６ｈを通過して滞留室３５の内部空間内に噴射されるのである。
【００２７】
この実施形態においては、滞留室３５は、その全体が一つの袋状のものからなり、一つの閉鎖空間を形成している点は、上記実施形態と同様であるが、この滞留室３５は、図には明瞭に示していないが、その頂部の一部分（人形の頭部の略上半分）を伸縮しない柔軟な合成樹脂製の非伸縮部から形成し、その他の下方部分を柔軟な変形可能な合成樹脂製のシート状体のものから形成しており、この滞留室３５全体が十分に膨張して、拡張したときには、所定の形状を成すような保形性を有するものから構成している。
即ち、この滞留室３５は、その内部に被噴射剤が噴射され、充満した状態で、内圧が高まると、ペンギン人形の立体形状及び図柄の外観が出現するものである。そして、その内圧が低下して大気圧と同等又はそれ以下となると、伸縮部材３６の収縮力によって小さく収縮して、正面視において、枠体１８の内部にその一部（人形の頭部の略上半分、即ち非伸縮部）を残して隠れた状態となるのである。
【００２８】
滞留室３５の外壁の全体には、上記実施形態と同様に多数の小孔が存在しており、滞留室３５内にエアゾール缶１０から噴射された被噴射剤が充満して、その内圧を向上させることにより、伸縮部材３６が上方に伸張すると共に、滞留室３５内にも被噴射剤が充満し、滞留室３５は、十分に拡張した状態となる。その後、滞留室の外壁に存する多数の小孔から被噴射剤が外部空間に放散され、且つ伸縮部材３６の収縮力によって滞留室３５は初期状態に徐々に収縮する。
この第３の実施形態においては、上記第２の実施形態におけるコイルスプリング２６を蛇腹部材から成る伸縮部材３６に変更したものである。
【００２９】
以上の構成により、第３実施形態に係る放散用容器においても、その使用法は、上記の実施形態と同じであり、その機能も上記第２の実施形態とほぼ同様となる。
即ち、手により操作杆１１を下方に押し下げて操作することにより、エアゾール缶１０内に収容された芳香剤が噴射剤と共に噴射ステム１２から導入部１５ｄを通過して滞留室３５内部の伸縮部材３６の内部に噴射され、伸縮部材３６の内部空間の圧力が上昇し、伸縮部材３６の収縮力に抗して伸縮部材３６が伸張すると共に、滞留室３５内部にも被噴射剤が充満して膨張し、滞留室３５自体も膨張し拡張することとなる。
伸縮部材３６及び滞留室３５がほぼ十分に膨張して拡張した状態で、操作杆１１から手を離して、噴射動作を停止する。
その後、滞留室３５内の内部気圧は、大気圧よりも高い状態となっているために、滞留室３５内の被噴射剤は、滞留室３５の外壁に設けられている多数の小孔を通過して外部空間に排出され、芳香剤が放散されることとなる。ここにおいて、伸縮部材３６の収縮力も相俟って良好に芳香剤は外部空間に放散される。これにより芳香剤の薬効がエアゾール缶１０からの被噴射剤の噴射動作終了後一定時間経過後であっても持続することとなる。
【００３０】
そして、滞留室３５及び伸縮部材３６内部の被噴射剤が外部空間に排出された後に、滞留室３５内部の伸縮部材３６が完全に収縮し、且つ滞留室３５の全体の体積も縮小して初期状態に戻り、滞留室３５は、その頂部を残して、正面視において枠体１８の内部に隠れた状態となり、芳香の薬効がほぼ終了する。
このように、滞留室３５が枠体１８の外部に現れているときには、芳香剤の薬効が発揮されている状態となり、滞留室３５が枠体１８に隠れた状態の時にはその薬効がほぼ終了した状態となる。即ち、ペンギン人形の姿が枠体から現れている状態が芳香効果が発揮され、それが隠れた状態ではその薬効がほぼ終了した状態となるのである。従って、使用者は、ペンギン人形の姿が枠体に隠れた状態を見て、操作杆１１の操作を行う時期を知ることが出来ることとなるのである。
【００３１】
図４は、本発明の第４の実施形態に係る芳香剤の放散用容器の透視正面説明図であり、その（Ａ）が滞留室が収縮している初期状態を示し、その（Ｂ）が滞留室が拡張した状態を示している。
この第４の実施形態においても、エアゾール缶１０、噴射バルブ、噴射ステム１２及び操作杆１１の構成は、上記第１乃至第３の実施形態と同一である。また、この実施形態における枠体１８の下方部の構成、即ち、くびれ部１８ｋとその下端部１８ｕの構成は、上記第２乃至第３の実施形態と同様である。
【００３２】
そして、本実施形態においては、その滞留室の構成が、上記第２の実施形態とほぼ同様であるが、上記第２の実施形態におけるコイルスプリング２６に代えて、自らは伸縮力を有しない筒状の伸縮部材４６を使用している点で相違している。
この伸縮部材４６は、内部に貫通孔を有する内部筒体４６ｅと、その外部に位置する外部筒体４６ｆとからなり、その外部筒体４６ｆが内部筒体の外周部を上下方向に摺動自在に構成されている。外部筒体４６ｆの上端は、閉鎖された上面部４６ｇを有し、その上面部４６ｇの略中央部に流出孔４６ｈが形成されいる。この伸縮部材４６自体は伸縮力を有していない。
【００３３】
伸縮部材４６の下端は、導入部１５ｄと接続するのであるが、この実施形態では、導入部１５ｄから上方に延長する導通路１５ｅが形成され、この導通路１５ｅの上端部が伸縮部材４６の内部筒体４６ｅの貫通孔内に挿入され、接続される。しかも、この内部筒体４６ｅは、導通路１５ｅの外周面を上下方向に摺動できるように構成されている。
また伸縮部材４６の上端は、滞留室４５の頂部内面に接続されている。
滞留室４５は、上記第2の実施形態と同様に、その全体が一つの袋状のものからなり、一つの閉鎖空間を形成している。この滞留室４５は、２つの部分から構成されており、伸縮しない上下の非伸縮部４５ｔ、４５ｒと中間の変形自在の変形部４５ｓとから構成されている。
【００３４】
伸縮しない上下の非伸縮部４５ｔ、４５ｒは、滞留室４５が収縮した初期状態では、上部に膨出部４５ｕを有する小さいかたまり形状を呈する外観を有し、中間の変形部４５ｓが膨張して伸張した状態で、上下の非伸縮部４５ｔ、４５ｒが上下に分離して、その間に河童の人形（上部の非伸縮部が河童の頭部に該当する）が現れる外観を呈するような立体形状及び図柄が施されている。
上下の非伸縮部４５ｔ、４５ｒは、共に伸縮性を有さない柔軟な合成樹脂製のものからなり、中間の変形部４５ｓは、変形自在の合成樹脂製の柔軟な薄地のシート状体から成る。変形部４５ｓが変形した状態の初期状態においては、中間の変形部４５ｓは、上下の非伸縮部４５ｔ、４５ｒの背後に隠れた状態となる。
【００３５】
本実施形態においては、上記した通り、滞留室４５の内部中央の上下方向に伸縮部材４６が設備されており、その下端部は、導入部１５ｄの導通路１５ｅに接続され、その上端は、滞留室４５の上部非伸縮部４５ｔの頂部内面に接続されている。
従って、図４（Ａ）の初期状態においては、伸縮部材４６は、自重により下方に収縮した状態となっており、即ち、導通部１５ｄの導通路１５ｅの外周に伸縮部材４６が収縮した状態となり、他方、伸縮部材４６の内部空間内に被噴射剤が噴射され、内圧が上昇した状態で図４（Ｂ）に示した状態のように、伸縮部材４６は、その内部筒体４６ｅと外部筒体４６ｆが上昇し、伸縮部材４６は、上方に伸張した状態となる。
これに伴って、伸縮部材４６の上面部４６ｇに設けられている流出孔４６ｈから被噴射剤が滞留室４５内に充満し、滞留室４５の変形部４５ｓも膨張し、拡張した状態となる。
そして、この実施形態においては、上記第2の実施形態と同様に、滞留室４５の下部の非伸縮部４５ｒが枠体１８と一体的に形成されている。
【００３６】
以上の構成により、第４の実施形態に係る放散用容器においても、その使用法は、上記の実施形態と同様となるのであるが、その機能は、上記第2又は第3の実施形態と相違している。
即ち、手により操作杆１１を下方に押し下げて操作することにより、エアゾール缶１０内に収容された芳香剤が噴射剤と共に噴射ステム１２から導入部１５ｄ及び導通路１５ｅを通過して伸縮部材４６の内部に噴射され、伸縮部材４６の内部空間の圧力が上昇し、伸縮部材４６の内部筒体４６ｅと外部筒体４６ｆが上方に移行して、即ち上方に伸張して滞留室４５自体も上方に伸張すると共に、その滞留室４５内部にも被噴射剤が充満して、滞留室全体が膨張し拡張する。
【００３７】
滞留室４５がほぼ十分に膨張して拡張した状態で、操作杆１１から手を離して、噴射動作を停止する。
その後、滞留室１５内の内部気圧は、大気圧よりも高い状態となっているために、滞留室４５内の被噴射剤は、滞留室４５の上方部の非伸縮部４５ｔ及び変形部４５ｓに存する多数の小孔を通過して外部空間に排出され、芳香剤が放散されることとなる。
ここで、伸縮部材４６内部の被噴射剤も徐々にその上面部４６ｇの流出孔４６ｈから滞留室４５内部に放出される。これにより伸縮部材４６内の内圧も徐々に低下する。
このようにして芳香剤の薬効がエアゾール缶１０からの被噴射剤の噴射動作終了後一定時間経過後であっても持続することとなる。
【００３８】
そして、滞留室４５及び伸縮部材４６の内部の被噴射剤が外部空間に排出された後に、滞留室４５の内部の伸縮部材４６が自重により下方に完全に収縮し、また滞留室４５の変形部４５ｓも上下の非伸縮部４５ｔ、４５ｒの内部に隠れてその全体の体積が縮小して初期状態のかたまり状態に戻り、芳香の薬効がほぼ終了する。
このようにして、滞留室４５の中間の変形部４５ｓが外部に現れているときには、芳香剤の薬効が発揮されている状態となり、その変形部４５ｓが非伸縮部４５ｔ、４５ｒに隠れた状態の時にはその薬効が終了した状態となる。即ち、河童人形が現れている状態が芳香効果が発揮され、それが隠れた状態ではその薬効がほぼ終了した状態となる。
従って、使用者は、河童人形が隠れた状態を見て、操作杆１１の操作を行う時期を知ることが出来ることとなる。
【００３９】
以上、4つの実施形態について説明したが、本発明においては、以下の通り各種の設計変更をすることができる。
上記各実施形態において、滞留室の外観（外形形状、模様、色合い等）及び大きさ等の設計は全く自由に行うことが出来る。
滞留室の素材は、適宜選択することが出来るが、各種のプラスチック、ゴム等の弾性体、或いは金属箔、更にはこれらの組合せやこれらの積層体又は多層体から形成することができる。
上記第１の実施形態においては、変形部を伸縮部材としたが、滞留室の全体を変形部として伸縮部材で構成することもできる。
多数の小孔も、滞留室の外壁の全体又はその一部に設けることも出来、その設ける位置や面積は自由に設定することができる。また、小孔の直径や密度も被噴射剤の滞留時間を考慮して自由に設定することができる。
尚、これらの小孔は、被噴射剤が通過しうる程度の極めて微細のものでよく、必ずしも機械的に設けるばかりでなく、素材自体が微細な小孔或いは隙間等を有しているものであれば、その素材をそのまま使用することによって実施することも可能である。
枠体の形状や大きさ、特にその高さは、適宜必要に応じて任意に設定することができる。
また本発明において、枠体を設けないで実施することもできる。
【００４０】
上記第２の実施形態においては、滞留室を上下の非伸縮部と中間の変形部とから構成したが、これらも自由に設計することができ、上部の非伸縮部を変形部として実施することもでき、また滞留室の全部を変形部として実施することもできる。
伸縮部材としてのコイルスプリングは、他の弾性伸縮部材、例えばゴム紐等を利用することも可能である。
【００４１】
上記第３の実施形態においても、その滞留室は、その全てを変形部から構成することも出来、また第２の実施形態のように、上下の非伸縮部と中間の変形部とから構成することもできる。
また上方端部に設けられた流出孔も、上方端部に設けるのではなく、伸縮部材の上方側面部に設けることも可能である。
更に、枠体は、滞留室の下方部で接続され、一体的に形成されていなくともよい。
多数の小孔を設ける位置も自由に設計することもができる。
【００４２】
上記第４の実施形態においても、その異なる点は、筒状の伸縮部材にあるが、この伸縮部材は、内部筒体と外部筒体の２つのものから構成され、導入部の導通路の外周面に上下摺動自在に設けられているが、伸縮部材は、２ピースでなくともよく、３つ以上の筒体から構成することもできる。事実、上記第４の実施形態において、導入部の導通路をも伸縮部材の一部と見ることも出来、この場合には伸縮部材は、３ピースから構成されていることとなる。
この実施形態においては、伸縮部材は、自ら伸縮力は有していないが、自重によってその収縮力を有するものとなっている。従って、本発明において伸縮部材は、自ら収縮力を有しないものであっても実施可能であり、自重等により少なくとも収縮力を有するものであれば、どのようなものでも採用することができるのである。
尚、上記何れの実施形態においても、操作杆は、手動のものとしたが、タイマー等を設置して自動的に動作しうる構成とすることもできる。
【００４３】
最後に、本発明においては、滞留室内への被噴射剤の噴射に際し、被噴射剤の圧力が過大となった場合の対策として、滞留室の破裂防止手段が講じられている。
即ち、上記第１乃至第４の実施形態を示す図１乃至図４において、導入部１５ｄに減圧弁Ｖが設けられている。
図１（Ｂ）を例に説明すると、通路１５ｆにおいては上向きに被噴射剤が噴射されて滞留室１５内に被噴射剤が噴射されるが、滞留室１５内の圧力が所定以上に高まると、通路１５ｇを通して下方に向かって被噴射剤が流通し、減圧弁Ｖからその封止枠体１４の封止を破って外部空間に被噴射剤を排出でき、減圧される。外部に排出した被噴射剤は、その下方に位置する吸収パッドＰに吸収されることとなるのである。吸収パッドＰは、不織布、フェルト、紙類等種々の吸収部材を利用することができる。
【００４４】
このようにして、滞留室内の内圧が所定圧力以上に加圧された際には、この減圧弁により内圧はそれ以上には上昇せずに、滞留室の破裂を防止することができるのである。
この破裂防止手段は、一例であって、その構造は如何なるものであってもよく、要は滞留室の内圧が所定圧以上となった場合に、滞留室内の被噴射剤を外部空間に逃がすことの出来る構造を有するものであればどのようなものであってもよい。
尚、この吸収パッドＰに被噴射剤が吸収されることによって、芳香剤の芳香効果は、より長時間維持されることにもなるため、使用者は、操作杆１１を操作して被噴射剤を滞留室内に噴射して、滞留室を十分に膨張させた後においても、更にその操作杆１１の操作を持続させることにより、意図的に被噴射剤を減圧弁Ｖから外部に排出させ、吸収パッドＰに被噴射剤を吸収させ、芳香効果を延長させる効果を発揮させることもできるのである。
以上の構成は、上記図２乃至図４に示した第２乃至第４の実施形態の何れににおいても、共通に設けているものである。
【図面の簡単な説明】
【００４５】
【図１】本発明の第１の実施形態に係る透視正面説明図であり、その（Ａ）が滞留室が収縮している初期状態を示し、その（Ｂ）が滞留室が拡張した状態を示している。
【図２】本発明の第２の実施形態に係る透視正面説明図であり、その（Ａ）が滞留室が収縮している初期状態を示し、その（Ｂ）が滞留室が拡張した状態を示している。
【図３】本発明の第３の実施形態に係る透視正面説明図であり、その（Ａ）が滞留室が収縮している初期状態を示し、その（Ｂ）が滞留室が拡張した状態を示している。
【図４】本発明の第４の実施形態に係る透視正面説明図であり、その（Ａ）が滞留室が収縮している初期状態を示し、その（Ｂ）が滞留室が拡張した状態を示している。
【符号の説明】
【００４６】
１０…容器、１１…操作杆、１２…噴射ステム、１５，２５，３５，４５…滞留室、１５ｔ、２５ｔ、２５ｒ、４５ｔ、４５ｒ…非伸縮部、１５ｓ、２５ｓ、３５ｓ、４５ｓ…変形部、１５ｓ、２６，３６、４６…伸縮部材、１５ｄ…導入部、１８…枠体
【図１】
2006327597.tif 000003
【図２】
2006327597.tif 000004
【図３】
2006327597.tif 000005
【図４】
2006327597.tif 000006